(57)【要約】【要訳】【課題】環境及び芝生に影響がなく、芝生地に侵入した蘚苔類および藻類を有効に防止する技術を提供する。【解決手段】一平方メートル当たり０．０１モルから０．２モルの鉄イオンに植物必須金属イオン１種もしくは数種をモル濃度比、１０００対１から３対１を併用する蘚苔類の防除方法および防除薬剤。【特許請求の範囲】
【請求項１】
鉄イオンおよび植物必須金属イオンの中から１種もしくは数種を併用した蘇苔類および藻類の防除方法。
【請求項２】
鉄イオンおよび植物必須金属イオンの中から１種もしくは数種を混合した蘇苔類および藻類の防除薬剤。
【発明の詳細な説明】
【技術分野】
【０００１】  芝生地に侵入した蘚苔類および藻類の防除技術に関する。
【背景技術】
【０００２】  ゴルフ場および公園を中心とした芝生地は、重金属を含んだ農薬の使用制限によって蘚苔類および藻類が増加傾向にある。蘚苔類および藻類は芝生地の景観を損ね、ゴルフ場のグリーンにおいてはパッティングクォリティーを悪化させる等の問題がある。現在、蘚苔類への対処方法は、殺菌剤、除草剤、殺藻剤などを併用しながら防除する方法が検討されている。しかしながら、これらいずれの方法を用いても再生能力が高い蘚苔類を防除するためには、数ヶ月にわたる継続使用が必要とされている。また、藻類の繁茂はその後に蘚苔類が増加する原因ともなるため、防除が重要となっている。
【非特許文献１】Ａｌｇａｅ  ａｎｄ  Ｍｏｓｓｅｓ  ｏｎ  Ｇｒｅｅｎｓ．Ｇｏｌｆ  Ｃｏｕｒｓｅ  Ｍａｎａｇｅｍｅｎｔ．Ｓｅｐｔｅｍｂｅｒ２０００．  Ｇｏｌｆ  Ｃｏｕｒｓｅ  Ｓｕｐｅｒｉｎｔｅｎｄｅｎｔｓ  Ａｓｓｏｃｉａｔｉｏｎ  ｏｆ  Ａｍｅｒｉｃａ．
【特許文献１】特許公開平１１−１０６３０５
【０００３】  米国において推奨される蘚苔類および藻類の防除方法の中には、わが国で芝生の色調改善に使用されている硫酸鉄を色調改善量の数倍施用する方法が示されている。この方法は安定した蘚苔類および藻類の防除方法として家庭園芸用からゴルフ場まで広く普及している。
【非特許文献２】ＥＰＡ  Ｒ．Ｅ．Ｄ．ＦＡＣＴＳ．  Ｉｒｏｎ  Ｓａｌｔｓ．  ＥＰＡ−７３８−Ｆ−９３−００２．  Ｆｅｂｒｕａｒｙ  １９９３．
【非特許文献３】Ｊｉｍ  Ｄｏｕｇｌａｓ，ａｎｄ  Ｗａｙｎｅ  Ｖａｎｄｒｅ．ＭＯＳＳ  ＣＯＮＴＲＯＬ  ＩＮ  ＬＡＷＮＳ．ＨＧＡ−００１３３．  Ａｌｓｋａ  Ｃｏｏｐｅｒａｔｉｖｅ  Ｅｘｔｅｎｓｉｏｎ．  Ｕｎｉｖｅｒｓｉｔｙ  ｏｆ  Ａｌａｓｋａ  Ｆａｉｒｂａｎｋｓ
【発明の開示】
【発明が解決しようとする課題】
【０００４】  蘚苔類および藻類のみならず、細菌、糸状菌に対して有効な銅、水銀等の重金属を含んだ農薬類は多くの環境生物に与える影響が大きく、使用の制限が求められている。一方、それに伴って増加している芝生地への蘚苔類および藻類の侵入に対して、有効で安全と考えられる鉄イオンは、芝生を暗緑色化させる問題点を抱えている。【０００５】  また、ゴルフ場のグリーンは、刈込み圧力と厳密な施肥管理のために芝生の生育は抑制され、蘚苔類および藻類の防除後に再度蘚苔類および藻類が繁茂し易い問題を抱えている。加えて、わが国の芝生地は、化成肥料や土壌ｐＨを高めるために石灰等のｐＨ矯正資材が多用されてきた。このため現在の芝生地ではｐＨが高くなり、施用した必須金属の吸収阻害が起きている。わが国の芝生地は、芝の状態に合わせた厳密な施肥によって管理されていることから、施用した肥料成分が芝に吸収されないことは大きな問題である。
【課題を解決するための手段】
【０００６】  蘚苔類および藻類は維管束系が発達していないため高等植物に比較して浸透移行性を有する薬剤であっても接触効果が中心になり、個体全体を枯死させることは困難である。加えて、多くの有機合成農薬は、分解や土壌移行によって消失し持続性に乏しい。一方、多くの生物種に対する効果から主に殺菌剤、殺藻剤として広く使用されてきた水銀剤、銅剤等の重金属は、降雨により植物体表面から大部分が流出する欠点を有するものの土壌表層に長く残留するため蘚苔類および藻類の生育を長期にわたり抑制することができる。【０００７】  しかし、その結果、これらの金属が土壌に残留し、使用制限が行われつつあることも避けられない事実である。また水生生物への影響が大きい事から、多くの池を有しており、排水の基準値も設けられているゴルフ場では現時点においても使用制限がなされているコースが多い。これらの重金属に比べ鉄は地殻構成元素の約５％を占め、アルミニウムについで存在量が多い。同時に、生物に普遍的な必須金属である。従って、例えば硫酸第一鉄、塩化第二鉄、ピロ燐酸第二鉄などは食品添加物として、硫酸第二鉄は廃水の浄化剤として生活に密着した場所で広く利用されている安全性の高い金属である。【０００８】  蘚苔類および藻類は、多量め鉄イオンにより生育が停止し、数時間で枯死する。しかし同時に、芝生に対しても鉄イオンの多量施用はその他の必須金属元素とのバランスを崩して暗緑色化をもたらす。【０００９】  蘚苔類および藻類防除に使われる鉄は、第一鉄イオンであっても第二鉄イオンであってもよいことが知られている。鉄イオンを供給する無機化合物塩としては、水溶解度が高く食品添加物などとして、われわれの生活圏で広く使用されている硫酸第一鉄、硫酸第二鉄、塩化第二鉄、硝酸第二鉄、ピロ燐酸第二鉄及びこれらの水和物が望ましい。これらはいずれも安価に供給されうるものである。硫酸第二鉄は、４０％水溶液が水の浄化剤として大量に使用されている。これらの強酸根との鉄塩は水への溶解度が高いため散布斑が少なく効果の安定につながる。同時に水溶液で扱えるために処理が容易である。【００１０】  併用する鉄以外の植物必須金属イオンは、ホウ素、マグネシウム、カリウム、カルシウム、マンガン、銅、亜鉛、モリブデン、ニッケルであり、モリブデン以外の必須金属イオンは、低ｐＨの硫酸鉄溶液で処理することで芝生への吸収効率を高め、芝生の薬害からの回復を早め、健全な生育を促すことが可能になる。【００１１】    併用する鉄以外の植物必須金属イオンは１種ではなく、数種を同時に併用することも可能である。【００１２】  これらの植物必須金属塩としては、肥料成分、もしくは食品添加物として広く利用されているものが望ましい。また、水溶解度が高く鉄塩と併用することで水に難溶性の塩を作らないものが望ましい。例えば、硫酸カリウム、ピロ硫酸水素カリウム、塩化カリウム、硝酸カリウム、塩化カルシウム、硝酸カルシウム、各種燐酸カルシウム、硫酸マグネシウム、硫酸水素マグネシウム、塩化マグネシウム、硝酸マグネシウム、各種燐酸マグネシウム、ホウ酸ナトリウム、硫酸マンガン、モリブデン酸アンモニウム、硫酸銅、硫酸亜鉛などが挙げられる。しかし、硫酸塩、燐酸塩、炭��塩等は条件によって水溶解度が大きく変化するため鉄塩に用いる対陰イオンやｐＨなどに留意して使用する必要がある。また、これらの植物必須金属の中で、銅、亜鉛は、水質の許容濃度が示されている金属であることから使用上の注意が必要である。【００１３】  蘚苔類防除には、平方メートル当たり０．０４モル以上の鉄イオンが必要であり、１回で処理する場合は０．０７モル以上が望ましい。また藻類防除には、平方メートル当たり０．０１モル以上の鉄イオンが必要である。しかしながら多量の鉄イオン処理は、芝生への薬害が発生することから一時期の使用総量を０．２モル以下にすることが望まれる。２〜４週間間隔で２〜３ヶ月の間、分割処理することによって芝生に対する薬害が軽減されることも知られている。また、過剰にならない範囲で窒素肥料を用いて芝生の生育を促し、鉄イオンによる薬害を軽減させることも可能である。【００１４】  処理時の鉄イオンに対する植物必須金属イオンのモル濃度比は施用する金属イオンによって異なるが、おおよそ１０００対１から３対１である。しかし、植物必須金属イオンを多量に使用すると土壌の物理化学性を崩壊し作物の生育に対してふさわしくないことも知られている。従って、可能な限り施用量を減少させることが求められ、鉄イオンに対する植物必須金属イオンのモル濃度比は１００対１から５対１が望ましい。【００１５】  使用に当たっては、鉄塩と植物必須金属塩のそれぞれを溶解して、必要時、同時処理することも、少時、間をおいて別々に処理することもできる。また、固体の鉄塩と植物必須金属塩をそれぞれ粉状もしくは粒状にした混合物を使用時に溶解させて用いることも、硫酸第二鉄溶液などに結晶析出の無い植物必須金属塩を溶解させたものを用いることもできる。これらの混合した製品は簡便な使用を可能にする。【００１６】  維管束系の未発達な蘚苔類および藻類を防除するにあたり、これらの金属イオンを散布する水量は、散布斑をなくし浸透性を上げるため平方メートル当り１００〜１０００ｍｌが望ましい。【００１７】  散布する水量を少量とする場合には薬剤散布後に水のみを散水することで、蘚苔類および藻類への浸透性を高め、効果を高めると共に、芝生の薬害を軽減することが可能である。
【発明の効果】
【００１８】  鉄イオンと植物必須金属イオンを併用することより芝生の暗緑色化の防止を図りながら極めて短時間で蘚苔類および藻類の防除、および芝生の回復を早めることを可能とする。【００１９】  鉄イオンと植物必須金属イオンを併用することで従来の重金属剤の処理に比べ、環境生物に与える影響を大きく減少させることを可能にする。【００２０】  鉄塩と植物必須金属塩を混合して調剤することにより簡便で誤りの少ない処理を可能にする。
【発明を実施するための最良の形態】
【００２１】  （薬剤調製例）
１平方メートル当たり、硫酸第二鉄４０％水溶液（Ｆｅ２（ＳＯ４）３  ポリテツ  日鉄鉱業株式会社商標）、硫酸第一鉄７水和物、もしくは塩化第二鉄等の鉄塩に、硫酸マグネシウム７水和物（ＭｇＳＯ４・７Ｈ２Ｏ  和光純薬工業株式会社商品）、硫酸マンガン５水和物（ＭｎＳＯ４・５Ｈ２Ｏ和光純薬工業株式会社商品）、ホウ酸ナトリウム１０水和物（Ｎａ２Ｂ４Ｏ７・１０Ｈ２Ｏ  和光純薬工業株式会社商品）、リン酸一水素二カリウム（Ｋ２ＨＰＯ４  和光純薬工業株式会社商品）、塩化カルシウム２水和物（ＣａＣｌ２・２Ｈ２Ｏ  和光純薬工業株式会社商品）モリブデン酸アンモニウム２水和物（（ＮＨ４）６Ｍｏ７Ｏ２４・２Ｈ２Ｏ  和光純薬工業株式会社商品）硫酸亜鉛７水和物（ＺｎＳＯ４・７Ｈ２Ｏ  和光純薬工業株式会社商品）、硫酸銅（ＣｕＳＯ４  和光純薬工業株式会社商品）の中より１種以上を下記表１に示す比率で混合溶解させた。【００２２】
【表１】
2007037519.tif 000002
【００２３】  （実施例１）
平成１７年４月５日、茨城県つくば市殿山地区にある植栽したベントグラス内に発生したギンゴケ（Ｂｒｙｕｍ  ａｒｇｅｎｔｅｕｍ）を対象として薬剤調製例に基づく薬剤量を電動散布機（株式会社丸山製作所製）を用いて平方メートル当たり１０００ｍｌ処理した。１区面積は０．５平方メートルの２反復で実施した。１日後、２週間後、１ヵ月後におけるギンゴケ防除価および１ヵ月後におけるギンゴケ防除後の芝生の回復を０（変化なし）〜５（完全に回復）の５段階で調査した。試験期間中の施肥は行わず、刈り込みは１〜２日おきに実施した。被覆割合は％で表し、防除価は以下の式で示す。実施例１による結果の平均値を表２に示す。
防除価＝（１−薬剤処理後ギンゴケ被覆割合／薬剤処理前ギンゴケ被覆割合）×１００【００２４】
【表２】
2007037519.tif 000003
【００２５】  （実施例２）
平成１７年４月５日、茨城県つくば市殿山地区にある植栽したベントグラス内に発生した藻類を対象として薬剤調製例に基づく薬剤量を電動散布機（株式会社丸山製作所製）を用いて平方メートル当たり５００ｍｌ処理した。１区面積は０．５平方メートルの２反復で実施した。１日後、２週間後、１ヵ月後の藻類防除価を調査した。試験期間中の施肥は行わず、刈り込みは１〜２日おきに実施した。被覆割合は％で表し、防除価は以下の式で示す。実施例１による結果の平均値を表３に示す。
防除価＝（１−薬剤処理後藻類被覆割合／薬剤処理前藻類被覆割合）×１００【００２６】
【表３】
2007037519.tif 000004
（実施例３）
平成１７年５月１３日、茨城県つくば市殿山地区にある植栽したベントグラス内に発生したギンゴケを対象として薬剤調製例に基づく薬剤量を電動散布機（株式会社丸山製作所製）を用いて平方メートル当たり２００もしくは１０００ｍｌ処理した。平方メートル当たり２００ｍｌ処理区は薬剤散布後に水を平方メートル当たり１０００ｍｌ散水した。１区面積は０．５平方メートルの２反復で実施した。１日後、２週間後、１ヵ月後のギンゴケ防除価と緑度調査を行った。判定は水稲の緑度早見板を用い、１（黄色）〜７（深緑）までの７段階である。但し、緑度早見板の７（深緑）以上の暗緑色の場合は全て８．０とした。試験期間中の施肥は窒素として１平方メートル当たり１ｇを毎月処理し、刈り込みは１〜２日おきに実施した。被覆割合は％で表し、防除価は以下の式で示す。実施例１による結果の平均値を表４に示す。
防除価＝（１−薬剤処理後ギンゴケ被覆割合／薬剤処理前ギンゴケ被覆割合）×１００【００２８】
【表４】
2007037519.tif 000005